【手続補正書】
【提出日】平成19年11月20日(2007.11.20)
【手続補正１】
【補正対象書類名】明細書
【補正対象項目名】発明の名称
【補正方法】変更
【補正の内容】
【発明の名称】パチンコ機
【手続補正２】
【補正対象書類名】明細書
【補正対象項目名】特許請求の範囲
【補正方法】変更
【補正の内容】
【特許請求の範囲】
【請求項１】
複数種の変動態様が用意されたパチンコ機であって、
遊技関連情報を表示するための表示部と、
上記遊技関連情報を報知するための遊技関連情報報知手段と、
遊技球が所定の有効領域を通過したことに基づいて、遊技者に有利な大当たり遊技を実行するか否かを抽選する大当たり抽選を行う大当たり抽選手段、および、上記複数種の変動態様を、上記大当たり抽選手段による大当たり抽選の結果と変動時間とが共通する変動態様ごとに区分けして設けた複数の変動パターンのうち、いずれかの変動パターンを抽選決定する変動パターン抽選部を有し、遊技に関する制御を行うための主制御部と、
この主制御部に接続され、当該主制御部から与えられる所定の信号に基づいて、上記変動パターン抽選部により抽選決定された変動パターンの中に含まれる変動態様から一の変動態様を抽選する変動態様抽選を実行する変動態様抽選部を有し、当該変動態様抽選部により抽選された変動態様に基づいて、上記表示部の表示動作を制御する表示制御部と、
この表示制御部に接続され、上記表示部から与えられる上記変動態様抽選の結果に基づいて、上記遊技関連情報報知手段を、報知内容が上記表示部の表示動作と関連付くように制御する報知制御部とを含むことを特徴とするパチンコ機。
【請求項２】
上記表示制御部は、各変動態様に対応する表示データが記憶された表示データ記憶部を有しており、
上記表示データ記憶部には、変動時間が共通し、かつ、上記表示部に表示される背景が互いに異なる複数の表示データが、少なくとも記憶されていることを特徴とする請求項１記載のパチンコ機。
【請求項３】
上記表示制御部は、上記各変動態様に対応する表示データが記憶された表示データ記憶部を有しており、
上記表示データ記憶部には、変動時間が共通し、かつ、上記表示部に表示されるキャラクタの種別が互いに異なる複数の表示データが、少なくとも記憶されていることを特徴とする請求項１記載のパチンコ機。
【請求項４】
上記遊技関連情報報知手段は、上記遊技関連情報を、音声の出力により報知する音声再生装置であり、
上記報知制御部は、上記音声再生装置の動作を制御する音声制御部を含むことを特徴とする請求項１ないし３のいずれかに記載のパチンコ機。
【請求項５】
上記音声制御部は、上記各変動態様に対応する音声データが記憶された音声データ記憶部を有しており、
上記音声データ記憶部には、変動時間が共通し、かつ、音声の種別が互いに異なる複数の音声データが、少なくとも記憶されていることを特徴とする請求項４記載のパチンコ機。
【請求項６】
上記遊技関連情報報知手段は、上記遊技関連情報を、視覚的に報知する遊技ランプであり、
上記報知制御部は、上記遊技ランプの動作を制御するランプ制御部を含むことを特徴とする請求項１ないし５のいずれかに記載のパチンコ機。
【請求項７】
上記ランプ制御部は、上記各変動態様に対応するランプデータが記憶されたランプデータ記憶部を有しており、
上記ランプデータ記憶部には、変動時間が共通し、かつ、動作態様が互いに異なる複数のランプデータが、少なくとも記憶されていることを特徴とする請求項６記載のパチンコ機。
【手続補正３】
【補正対象書類名】明細書
【補正対象項目名】０００１
【補正方法】変更
【補正の内容】
【０００１】
【発明の属する技術分野】
この発明は、パチンコ機に関する。
【手続補正４】
【補正対象書類名】明細書
【補正対象項目名】０００７
【補正方法】変更
【補正の内容】
【０００７】
この発明は、上述のような背景の下でなされたものであり、主制御基板内のメモリ容量を抑えつつ、複雑高度なゲーム内容が実現できるパチンコ機を提供することである。
【手続補正５】
【補正対象書類名】明細書
【補正対象項目名】０００８
【補正方法】変更
【補正の内容】
【０００８】
【課題を解決するための手段および発明の効果】
上記の目的を達成するための請求項１記載の発明は、複数種の変動態様が用意されたパチンコ機であって、遊技関連情報を表示するための表示部と、上記遊技関連情報を報知するための遊技関連情報報知手段と、遊技球が所定の有効領域を通過したことに基づいて、遊技者に有利な大当たり遊技を実行するか否かを抽選する大当たり抽選を行う大当たり抽選手段、および、上記複数種の変動態様を、上記大当たり抽選手段による大当たり抽選の結果と変動時間とが共通する変動態様ごとに区分けして設けた複数の変動パターンのうち、いずれかの変動パターンを抽選決定する変動パターン抽選部を有し、遊技に関する制御を行うための主制御部と、この主制御部に接続され、当該主制御部から与えられる所定の信号に基づいて、上記変動パターン抽選部により抽選決定された変動パターンの中に含まれる変動態様から一の変動態様を抽選する変動態様抽選を実行する変動態様抽選部を有し、当該変動態様抽選部により抽選された変動態様に基づいて、上記表示部の表示動作を制御する表示制御部と、この表示制御部に接続され、上記表示部から与えられる上記変動態様抽選の結果に基づいて、上記遊技関連情報報知手段を、報知内容が上記表示部の表示動作と関連付くように制御する報知制御部とを含むことを特徴とするパチンコ機である。
請求項１記載の発明によれば、変動態様抽選が表示制御部で実行される。表示制御部は、変動態様抽選の結果を報知制御部に与えるとともに、表示部の動作を制御する。一方、報知制御部は、表示制御部から与えられる変動態様抽選の結果に基づいて、関連情報報知手段を、表示部の動作に関連付くように制御する。
表示制御部と遊技関連情報手段とが相互に関連付いた動作を行なうことを可能としつつ、主制御基板（主制御部）以外で変動態様抽選が行なわれるので、主制御基板（主制御部）内で必要となるメモリの量を少なく抑えることができる。これにより、多種の変動動作を用意しつつ、かつ、主制御基板のメモリ容量を法規制の許容範囲内に抑えることが可能である。
また、複数種の変動態様は、大当たり抽選の結果が大当たりか否か、および変動動作に要する時間（変動時間）が同じであるか否かごとに、複数の変動パターンに区分けされている。この変動パターンは、主制御基板（主制御部）側で決定されるようになっていて、表示制御部の変動態様抽選部で実行される変動態様抽選においては、この決定された変動パターンに含まれる変動態様から一の変動態様が決定される。つまり、変動態様の決定に関して主制御部は、全ての変動態様の種類の中から１つの変動態様を決定するのではなく、大きく区分けされた変動パターンの中から１つの変動パターンを決定するだけであるので、変動態様の決定に関して主制御部内で必要となるメモリのメモリエリアを少なくすることができる。
【手続補正６】
【補正対象書類名】明細書
【補正対象項目名】０００９
【補正方法】変更
【補正の内容】
【０００９】
請求項２に記載のように、上記表示制御部は、各変動態様に対応する表示データが記憶された表示データ記憶部を有しており、上記表示データ記憶部には、変動時間が共通し、かつ、上記表示部に表示される背景が互いに異なる複数の表示データが、少なくとも記憶されていてもよい。
また、請求項３に記載のように、上記表示制御部は、上記各変動態様に対応する表示データが記憶された表示データ記憶部を有しており、上記表示データ記憶部には、変動時間が共通し、かつ、上記表示部に表示されるキャラクタの種別が互いに異なる複数の表示データが、少なくとも記憶されていてもよい。
【手続補正７】
【補正対象書類名】明細書
【補正対象項目名】００１０
【補正方法】変更
【補正の内容】
【００１０】
請求項４に記載のように、上記遊技関連情報報知手段は、上記遊技関連情報を、音声の出力により報知する音声再生装置であり、上記報知制御部は、上記音声再生装置の動作を制御する音声制御部を含んでいてもよい。
この場合、請求項５に記載のように、上記音声制御部は、上記各変動態様に対応する音声データが記憶された音声データ記憶部を有しており、上記音声データ記憶部には、変動時間が共通し、かつ、音声の種別が互いに異なる複数の音声データが、少なくとも記憶されていてもよい。
【手続補正８】
【補正対象書類名】明細書
【補正対象項目名】００１１
【補正方法】変更
【補正の内容】
【００１１】
また、請求項６に記載のように、上記遊技関連情報報知手段は、上記遊技関連情報を、視覚的に報知する遊技ランプであり、上記報知制御部は、上記遊技ランプの動作を制御するランプ制御部を含んでいてもよい。
【手続補正９】
【補正対象書類名】明細書
【補正対象項目名】００１２
【補正方法】変更
【補正の内容】
【００１２】
この場合、請求項７に記載のように、上記ランプ制御部は、上記各変動態様に対応するランプデータが記憶されたランプデータ記憶部を有しており、上記ランプデータ記憶部には、変動時間が共通し、かつ、動作態様が互いに異なる複数のランプデータが、少なくとも記憶されているものであってもよい。
【手続補正１０】
【補正対象書類名】明細書
【補正対象項目名】００４２
【補正方法】変更
【補正の内容】
【００４２】
また、ランプ制御サブ基板１００は主制御基板７０および表示制御サブ基板８０の双方と接続されているものとして説明したが、異常ランプ６１，６２を設けず、主制御基板７０からランプコマンドを与えない構成であるならば、主制御基板７０に接続される必要はない。また、上述の説明では、変動態様を決定する変動態様抽選は表示制御サブ基板８０に設けられているものとして説明したが、この態様に限られない。図５は、この発明の別の形態の電気的構成を示すブロック図である。
【手続補正１１】
【補正対象書類名】明細書
【補正対象項目名】００４３
【補正方法】変更
【補正の内容】
【００４３】
図５に示す形態が図２の実施形態と異なる点は、予め定められた複数の変動態様から１の変動態様を決定する変動態様抽選部を表示制御サブ基板でなく、音声制御サブ基板に設けた点にある。具体的には、音声制御サブ基板９０の変動態様抽選部９４には、主制御基板７０の変動パターン抽選部７３から変動パターン抽選の結果が与えられるようになっている。音声制御サブ基板９０の変動態様抽選部９４における変動態様抽選の結果は、音声制御部９１の他、表示制御サブ基板８０の表示制御部８１、およびランプ制御サブ基板１００のランプ制御部１０１に与えられるようになっている。
【手続補正１２】
【補正対象書類名】明細書
【補正対象項目名】００４４
【補正方法】変更
【補正の内容】
【００４４】
図５では音声制御サブ基板に変動態様抽選部を設ける場合について説明したが、変動態様抽選部がランプ制御サブ基板１００に設けられていて、この抽選結果が表示制御サブ基板８０の表示制御部８１、および音声制御サブ基板９０の音声制御部９１に与えられるようになっていてもよいのはもちろんのことである。また、上述の各形態では、複数種の変動態様は複数種の変動パターンに大きく区分けされていて、主制御基板７０側で実行される変動パターン抽選によって変動パターンの種別が決定され、この変動パターン抽選の結果に基づいて変動態様抽選が実行されるものとして説明したが、この態様に限られない。この例を図６に示す。
【手続補正１３】
【補正対象書類名】明細書
【補正対象項目名】００４５
【補正方法】変更
【補正の内容】
【００４５】
図６に示す形態が図２の実施形態と異なる点は、変動態様を決定するに当たっては変動パターン抽選を実行せず、表示制御サブ基板側で実行される変動態様抽選だけによって変動態様が決定される点にある。具体的に説明すると、主制御基板７０Ａにおける大当たり抽選の結果は表示制御サブ基板８０Ｂに設けられた変動態様抽選部８３に直接与えられるようになっている。また、ＬＣＤ表示装置１２のＬＣＤ表示部１２１に最終的に停止する図柄の組み合わせを決定する停止図柄決定部８５も表示制御サブ基板８０Ｂに設けられている。
【手続補正１４】
【補正対象書類名】明細書
【補正対象項目名】００４６
【補正方法】変更
【補正の内容】
【００４６】
停止図柄決定部８５を表示制御サブ基板８０Ｂ側に設けることとしたのは、法規制により主制御基板と各制御サブ基板との双方向の信号は禁止されており、各制御サブ基板から主制御基板側へは信号を与えることができないようになっているからである。また、図２、図５および図６の各形態では、変動態様抽選が実行される制御サブ基板から、他の２つの制御サブ基板に個別に接続されているものとして説明したが、これに限られない。たとえば図２の場合を例にとって説明すると、表示制御サブ基板８０には音声制御サブ基板９０が、この音声制御サブ基板８０にはランプ制御サブ基板１００が接続されていて、変動態様抽選部８３における変動態様抽選の結果が音声制御サブ基板８０の音声制御部９１を介してランプ制御部に与えられるようになっていてもよい。
【手続補正１５】
【補正対象書類名】明細書
【補正対象項目名】００４８
【補正方法】変更
【補正の内容】
【００４８】
この場合においては、制御サブ基板によって抽選された変動態様抽選の結果に基づいて、さらに他の制御サブ基板で変動動作態様が抽選されるので、ＬＣＤ表示部１２１に表示される表示態様に対応して複数の音声態様、ランプ態様が用意されている構成を主制御基板７０の消費容量を増やすことなく、変動態様を複雑化することができる。さらにまた、上述の各形態の説明では表示器としてＬＣＤ表示部１２１を例に挙げたが、その他の表示器であってもよいのはもちろんのことである。加えて、上述の表示制御サブ基板８０は、ＬＣＤ表示部１２１等表示器だけでなく遊技盤１上に配設された役物等の動作を制御するものであってもよい。
【手続補正１６】
【補正対象書類名】明細書
【補正対象項目名】００４９
【補正方法】変更
【補正の内容】
【００４９】
図７は、この発明の別の形態に係るパチスロ機の電気的な構成を示すブロック図である。このパチスロ機には、３個のリール２３１，２３２，２３３が回転可能に配置されている。
このパチスロ機の主制御基板２７０は、遊技に関する動作（遊技に関する動作）を制御するための遊技制御部２７１、および、乱数抽選の当たり（ビックボーナス入賞）の確定を決定する乱数抽選部２７２を備えている。
【手続補正１７】
【補正対象書類名】明細書
【補正対象項目名】００５４
【補正方法】変更
【補正の内容】
【００５４】
以上により図７の形態によれば、演出表示態様の決定に関して主制御基板７０においては、全ての演出表示態様の種類の中から１つの演出表示態様を決定するのではなく、大きく区分けされた演出表示パターンの中から１つの演出表示パターンを抽選するだけであるので、演出表示態様の決定に関して主制御基板７０内で必要となるメモリの量が少なくて済む。したがって、主制御基板２７０のメモリ容量を法規制の許容範囲内に抑えつつ、多種の演出表示を用意することができる。
【手続補正１８】
【補正対象書類名】明細書
【補正対象項目名】００５６
【補正方法】変更
【補正の内容】
【００５６】
さらに、また図７の説明では、演出表示態様を決定する演出態様抽選は演出表示制御サブ基板２８０に設けられているものとして説明したが、音声制御サブ基板に配置されていてもよいし、また、リール３１〜３３が主制御基板２７０ではなくリール制御サブ基板によって制御される場合には、このリール制御サブ基板に配置されていてもよい。
【手続補正１９】
【補正対象書類名】明細書
【補正対象項目名】図面の簡単な説明
【補正方法】変更
【補正の内容】
【図面の簡単な説明】
【図１】この発明の一実施形態に係るパチンコ機の正面構造を簡略化して示す図である。
【図２】図柄表示器の構成を示す正面図である。
【図３】図１に示すパチンコ機の電気的構成を示すブロック図である。
【図４】このパチンコ機における遊技に際して行われる処理の流れを示すフローチャートである。
【図５】この発明の別の形態に係るパチンコ機の電気的構成を示すブロック図である。
【図６】この発明の別の形態に係るパチンコ機の電気的構成を示すブロック図である。
【図７】この発明の別の形態に係るパチスロ機の電気的構成を示すブロック図である。
【手続補正２０】
【補正対象書類名】明細書
【補正対象項目名】符号の説明
【補正方法】変更
【補正の内容】
【符号の説明】
５  スピーカ（遊技関連情報報知手段）
６  遊技ランプ（遊技関連情報報知手段）
７０  主制御基板（主制御部）
８０  表示制御サブ基板（表示制御部）
８３  変動態様抽選部
８４  表示データ記憶部
９０  音声制御サブ基板（音声制御部）
９３  音声データ記憶部
１００  ランプ制御サブ基板（ランプ制御部）
１０２  ランプデータ記憶部
１２１  ＬＣＤ表示部